(57)【要約】【課題】仮設材としての機能を維持して確実に衝撃音の発生を低減することができる仮設材及び仮設材の衝撃音低減方法を提供する。【解決手段】建設工事に用いる管状の仮設材１であって、衝撃力が加えられた際に発生する振動を吸収するシート状の振動減衰材２が、外面１ｂ及び／又は内面１ａに貼り付けられている。また、振動減衰材２が、仮設材１の外面１ｂ及び／又は内面１ａの１０〜２０％の面積範囲に貼り付けられている。そして、このように仮設材１に貼り付けた振動減衰材２によって、例えば仮設材１を投げたり、落としたりした際に、振動を吸収し減衰させることができ、衝撃音の発生を低減させることができる。【選択図】図１
2008255749.tif 000002
【特許請求の範囲】
【請求項１】
建設工事に用いる管状の仮設材であって、
衝撃力が加えられた際に発生する振動を吸収するシート状の振動減衰材が、外面及び／又は内面に貼り付けられていることを特徴とする仮設材。
【請求項２】
請求項１記載の仮設材において、
前記振動減衰材が、前記外面及び／又は内面の１０〜２０％の面積範囲に貼り付けられていることを特徴とする仮設材。
【請求項３】
建設工事に用いる管状の仮設材の衝撃音を低減させる方法であって、
衝撃力が加えられた際に発生する振動を吸収するシート状の振動減衰材を、前記仮設材の外面及び／又は内面に貼り付けることを特徴とする仮設材の衝撃音低減方法。
【発明の詳細な説明】
【技術分野】
【０００１】
本発明は、例えば建設工事の作業足場や支保工などに用いる仮設材及び仮設材の衝撃音低減方法に関する。
【背景技術】
【０００２】
従来、建設工事において、例えば作業足場や支保工などに単管パイプなどの管状の仮設材が多用されている。しかしながら、この種の仮設材は、作業足場や支保工の仮設時（構築時）や解体時に、投げられたり、落下したりして高い金属音などの大きな衝撃音を発し、建設工事における騒音公害の一因となっている。このため、特に騒音規制区域内で建設工事を行なう際には、近隣住民の生活環境を損なわないように配慮し、作業時間を制約して工事を進めることが必要であった。また、大きな衝撃音の発生によって作業員に聴覚障害が発生するおそれもあった。
【０００３】
これに対し、例えば特許文献１には、単管パイプ（仮設材）に取り付けることで衝撃音の発生を低減させる単管パイプ用防音具が開示されている。この単管パイプ用防音具（緩衝性管体）は、単管パイプの外径に適合する内径を備えるとともに、その外面周方向に角形の転動防止部を備えて形成され、単管パイプを挿通させて単管パイプの外面側に嵌合させることによって一体に取り付けられる。そして、このような単管パイプ用防音具を取り付けることで、単管パイプが投げられたり、落下した際に甲高い金属音の発生を低減することができ、また、外面周方向に角形の転動防止部が形成されていることで、単管パイプの転動をも防止することができる。
【特許文献１】特開平７−２９２７９８号公報
【発明の開示】
【発明が解決しようとする課題】
【０００４】
しかしながら、上記の単管パイプ用防音具においては、単管パイプに嵌合させて取り付けられるため、単管パイプへの取り付けや取り外しに労力を要し、例えば作業足場や支保工の構築時や解体時の作業性を低下させるという問題があった。
【０００５】
また、単管パイプの外側に大きく突出した状態で単管パイプ用防音具が取り付けられることによって、この単管パイプ用防音具が邪魔になり、作業足場や支保工に用いる単管パイプとしての機能を妨げるという問題もあった。さらに、単管パイプが投げられたり、落下した際に、突出した単管パイプ用防音具に衝撃が加わって劣化しやすく、防音機能の低下を招きやすいという問題があった。
【０００６】
本発明は、上記事情を鑑み、仮設材としての機能を維持して確実に衝撃音の発生を低減可能な仮設材及び仮設材の衝撃音低減方法を提供することを目的とする。
【課題を解決するための手段】
【０００７】
上記の目的を達するために、この発明は以下の手段を提供している。
【０００８】
本発明の仮設材は、建設工事に用いる管状の仮設材であって、衝撃力が加えられた際に発生する振動を吸収するシート状の振動減衰材が、外面及び／又は内面に貼り付けられていることを特徴とする。
【０００９】
また、本発明の仮設材の衝撃音低減方法は、建設工事に用いる管状の仮設材の衝撃音を低減させる方法であって、衝撃力が加えられた際に発生する振動を吸収するシート状の振動減衰材を、前記仮設材の外面及び／又は内面に貼り付けることを特徴とする。
【００１０】
上記の発明においては、振動減衰材を仮設材の外面及び／又は内面に貼り付けるという簡易な操作で、例えば作業足場や支保工の構築時や解体時に投げられたり、落下したりして衝撃力が加えられた際に仮設材に発生する振動を吸収し減衰させることができ、衝撃音の発生を確実に低減させることができる。また、振動減衰材が例えば１ｍｍ程度の厚さのシート状に形成されていることで、従来の単管パイプ用防音具のように仮設材の外側に大きく突出するようなことがなく、供用時に邪魔になることがないため、仮設材の機能を妨げるおそれがない。そして、このような振動減衰材は、仮設材の外面及び／又は内面の任意の位置に貼り付けることで衝撃音の発生を低減できるため、容易に取り付けることができる。
【００１１】
また、本発明の仮設材においては、前記振動減衰材が、前記外面及び／又は内面の１０〜２０％の面積範囲に貼り付けられていることが望ましい。
【００１２】
この発明においては、外面及び／又は内面の総面積に対し、１０〜２０％の面積範囲に振動減衰材を貼り付けることで、すなわち仮設材の全面に貼り付けることなく、確実に衝撃音の発生を低減させることができる。
【発明の効果】
【００１３】
本発明の仮設材及び仮設材の衝撃音低減方法によれば、シート状の振動減衰材を外面及び／又は内面に貼り付けることによって、仮設材としての機能を維持して容易に且つ確実に衝撃音の発生を低減させることが可能になる。
【発明を実施するための最良の形態】
【００１４】
以下、図１及び図２を参照し、本発明の一実施形態に係る仮設材及び仮設材の衝撃音低減方法について説明する。本実施形態は、例えば建設工事の作業足場や支保工に用いられる単管パイプなどの管状の仮設材及びこの仮設材の衝撃音を低減する方法に関するものである。
【００１５】
本実施形態の仮設材１は、図１及び図２に示すように、金属製で円管状の単管パイプであり、内周面（内面）１ａに振動減衰材２を貼り付けて構成されている。本実施形態の振動減衰材２は、例えばブチルゴムなどをシート状に形成したものであり、数ｃｍ角の方形状で、且つ１ｍｍ程度の厚さで形成されている。そして、このように形成した複数の振動減衰材２が、仮設材１の軸線Ｏ１方向一端から他端までの内周面１ａの任意の位置に分散して貼り付けられている。また、本実施形態では、内周面１ａの総面積に対し、１０〜２０％の面積範囲に振動減衰材２が貼り付けられている。
【００１６】
そして、上記のように振動減衰材２を貼り付けた仮設材１においては、作業足場や支保工などの構築時や解体時に投げられたり、落としたりして衝撃力が加えられた際に、仮設材１に発生した振動が振動減衰材２で吸収され、この振動が減衰される。これにより、衝撃音の発生が低減される。
【００１７】
また、振動減衰材２が仮設材１の内周面１ａに貼り付けられていることによって、従来の単管パイプ用防音具のように仮設材１の外側に大きく突出することがないため、作業足場や支保工などの構築時や解体時、及び供用時に邪魔になることがなく、仮設材１の機能を妨げるおそれがない。そして、このような振動減衰材２は、仮設材１の内周面１ａの任意の位置に貼り付けることで衝撃音の発生を低減するため、その取り付けが容易である。
【００１８】
したがって、本実施形態の仮設材１及び仮設材１の衝撃音低減方法においては、振動減衰材２を仮設材１の内周面１ａに貼り付けるという簡易な操作で、例えば作業足場や支保工の構築時や解体時に投げられたり、落下したりして衝撃力が加えられた際に、仮設材１に発生する振動を吸収し減衰させることができ、仮設材１の機能を維持した状態で、衝撃音の発生を確実に低減させることができる。また、このような振動減衰材２は、既製の単管パイプなどの仮設材１に対し、容易に衝撃音の発生を低減させることができる。
【００１９】
また、仮設材１の内周面１ａの総面積に対し、１０〜２０％の面積範囲に振動減衰材２を貼り付けることで、すなわち仮設材１の全面に振動減衰材２を貼り付けることなく確実に衝撃音の発生を低減させることができる。
【００２０】
よって、本実施形態の仮設材１及び仮設材の衝撃音低減方法によれば、シート状の振動減衰材２を内周面１ａに貼り付けることで、仮設材１としての機能を維持して容易に且つ確実に衝撃音の発生を低減させることができるため、例えば騒音規制区域内で建設工事を行なう際に、近隣住民の生活環境を損なわないように騒音を低減することができ、また、大きな衝撃音の発生によって作業員に聴覚障害が発生することを確実に防止でき、作業員の安全性を確保することができる。
【００２１】
以上、本発明に係る仮設材及び仮設材の衝撃音低減方法の実施形態について説明したが、本発明は上記の一実施形態に限定されるものではなく、その趣旨を逸脱しない範囲で適宜変更可能である。例えば、本実施形態では、仮設材１の内面（内周面）１ａに振動減衰材２を貼り付けるものとしたが、仮設材１の外面１ｂに貼り付けたり、内面１ａと外面１ｂにそれぞれ貼り付けてもよい。この場合には、外面１ｂに貼り付けた振動減衰材２が仮設材１の外側に突出することになるが、この振動減衰材２が例えば１ｍｍ程度の厚さをもってシート状に形成されているため、作業足場や支保工などの構築時や解体時、及び供用時に邪魔になることはなく、本実施形態と同様に仮設材１としての機能を維持しつつ好適に衝撃音の発生を低減させることができる。
【００２２】
また、本実施形態では、振動減衰材２を貼り付けた仮設材１が円管状の単管パイプであるものとしたが、例えば角管状の仮設材１に振動減衰材２を貼り付けても本実施形態と同様の効果を得ることができる。
【図面の簡単な説明】
【００２３】
【図１】本発明の一実施形態に係る仮設材を示す射視図である。
【図２】本発明の一実施形態に係る仮設材を示す断面図である。
【符号の説明】
【００２４】
１    仮設材（単管パイプ）
１ａ  内面（内周面）
１ｂ  外面
２    振動減衰材
【図１】
2008255749.tif 000003
【図２】
2008255749.tif 000004